(57)【要約】      （修正有）【解決手段】利用者の生体認証要否を判断する生体認証判断手段と、生体情報読取り部で取得された利用者の生体情報と予め記憶部に登録された利用者の生体情報とを照合することにより生体認証処理を行う生体認証処理モードと、使用されるカードがＩＣカードである場合、カードが本物かを認証するＩＣカード認証処理モードとを有し、生体認証判断手段による判断結果に従って、生体認証が必要な場合には、生体認証処理モードによって利用者本人を確認する第１の処理を行い、生体認証が不要な場合には、ＩＣカード認証処理モードによって利用者本人を確認する第２の処理を行う。【効果】カード認証と生体認証とを並行的に処理することにより、取引の処理時間を短縮することができ、ＩＣチップに対するカード認証の処理を省略することができる。また生体認証が出来なかった場合でも、ＩＣチップに対するカード認証ができれば、最低限の取引きを行うことができる。【選択図】図６
2006301903.tif 000002
【特許請求の範囲】
【請求項１】
利用者に対して取引きのための案内を表示する表示部と、取引きのための入力を行う入力部と、取引きに使用されるカードの情報を読み取るカードリーダ部を有するカード機構と、利用者の生体情報を読取る生体情報読取り部と、取引きに用いられる情報を記憶する記憶部と、これら各部を制御し、取引のための処理を行う主制御部とを具備する現金自動取引装置において、
利用者の生体認証要否を判断する生体認証判断手段と、
該生体情報読取り部で取得された利用者の生体情報と予め記憶部に登録された該利用者の生体情報とを照合することにより生体認証処理を行う生体認証処理モードと、
該入力部から該利用者により入力される暗証情報と予め記憶部に登録された暗証情報とを照合することにより利用者本人の確認を行う暗証情報確認処理モードと、
使用されるカードがＩＣカードである場合、カードが本物かを認証するＩＣカード認証処理モードとを有し、
該生体認証判断手段による判断結果に従って、生体認証が必要な場合には、該生体認証処理モードと該暗証情報確認処理モードによって利用者本人を確認する第１の処理を行い、生体認証が不要な場合には、該ＩＣカード認証処理モードと該暗証情報確認処理モードによって利用者本人を確認する第２の処理を行うことを特徴とする現金自動取引装置。
【請求項２】
該カードは、利用者に固有の取引情報及び生体情報認証要否情報を記憶部に保持し、該生体認証判断手段は、該カードリーダ部で読取られた該カードの該生体情報認証要否情報に従って生体認証要否を判断することを特徴とする請求項１の現金自動取引装置。
【請求項３】
該表示部は、生体認証による取引及び又はキャッシュカードによる取引の項目を含む画面を表示し、
該生体認証判断手段は、利用者により該画面から生体認証による取引が選択されたことを認識して、該利用者の生体認証要否を判断することを特徴とする請求項１の現金自動取引装置。
【請求項４】
該第１の処理において、生体認証の結果、利用者本人が認証された場合には、該ＩＣカード認証処理モードを実行しないで、該利用者に対する現金の取引を許容することを特徴とする請求項１の現金自動取引装置。
【請求項５】
該第１の処理において、該ＩＣカード認証処理モードを実行しないで行った取引の回数を累計する計算手段を有し、該計算手段によって累計された回数の情報を、該カードの記憶部又は他の記憶部に該利用者に関連する情報に対応付けて記憶することを特徴とする請求項４の現金自動取引装置。
【請求項６】
該生体情報認証要否情報の内容設定は、該カードを発行する金融機関によって任意に設定可能であることを特徴とする請求項２の現金自動取引装置。
【請求項７】
該生体認証処理モードは、ＩＣカードの場合には該ＩＣカード内で実行され、ＩＣカードでない場合には該現金自動取引装置がネットワークを介して接続されたホストコンピュータ内で実行されることを特徴とする請求項１の現金自動取引装置を含む現金自動取引システム。
【請求項８】
利用者に対して取引きのための案内を表示する表示部と、取引きのための入力を行う入力部と、取引きに使用されるカードの情報を読み取るカードリーダ部を有するカード機構と、利用者の生体情報を読取る生体情報読取り部と、取引きに用いられる情報を記憶する記憶部と、これら各部を制御し、取引のための処理を行う主制御部とを具備する現金自動取引装置において、
利用者の生体認証要否を判断する生体認証判断手段と、
該生体情報読取り部で取得された利用者の生体情報と予め記憶部に登録された該利用者の生体情報とを照合することにより生体認証処理を行う生体認証処理モードと、
該入力部から該利用者により入力される暗証情報と予め記憶部に登録された暗証情報とを照合することにより利用者本人の確認を行う暗証情報確認処理モードと、
使用されるカードがＩＣカードである場合、カードが本物かを認証するＩＣカード認証処理モードとを有し、
該生体認証判断手段による判断結果に従って、生体認証が必要な場合には、該生体認証処理モードと該暗証情報確認処理モードによって利用者本人を確認する処理を行う第１の処理と、該生体認証判断手段による判断結果に従って、生体認証が不要な場合には、該ＩＣカード認証処理モードと該暗証情報確認処理モードによって利用者本人を確認する第２の処理を少なくとも部分的に並行して行うことを特徴とする現金自動取引装置。
【請求項９】
利用者に対して取引きのための案内を表示する表示部と、取引きのための入力を行う入力部と、取引きに使用されるカードの情報を読み取るカードリーダ部を有するカード機構と、利用者の生体情報を読取る生体情報読取り部と、取引きに用いられる情報を記憶する記憶部と、これら各部を制御し、取引のための処理を行う主制御部とを具備する現金自動取引装置において、
利用者の生体認証要否を判断する生体認証判断手段と、
該生体情報読取り部で取得された利用者の生体情報と予め記憶部に登録された該利用者の生体情報とを照合することにより生体認証処理を行う生体認証処理モードと、
使用されるカードがＩＣカードである場合、カードが本物かを認証するＩＣカード認証処理モードとを有し、
該生体認証判断手段による判断結果に従って、生体認証が必要な場合には、該生体認証処理モードによって利用者本人を確認する第１の処理を行い、生体認証が不要な場合には、該ＩＣカード認証処理モードによって利用者本人を確認する第２の処理を行うことを特徴とする現金自動取引装置。
【請求項１０】
更に、該入力部から該利用者により入力される暗証情報と予め記憶部に登録された暗証情報とを照合することにより利用者本人の確認を行う暗証情報確認処理モードを有し、該第１の処理、及び又は該第２の処理において、該暗証情報確認処理モードを実行することを特徴とする請求項９の現金自動取引装置。
【請求項１１】
該表示部は、現金取引に関する複数の項目を含む第１の画面と、生体認証による取引及び又はキャッシュカードによる取引の項目を含む第２の画面と、を表示し、
該主制御部は、該第２の画面よりも該第１の画面を先に表示しておき、該第１の画面を通して選択された取引を行う際に、該第２の画面を表示することを特徴とする請求項９の現金自動取引装置。
【請求項１２】
該表示部は、現金取引に関する複数の項目を含む第１の画面と、生体認証による取引及び又はキャッシュカードによる取引の項目を含む第２の画面と、を表示し、
該主制御部は、該第１の画面よりも該第２の画面を先に表示しておき、該第１の画面を通して選択された取引の処理を行う間に、該第２の画面を表示することを特徴とする請求項９の現金自動取引装置。
【請求項１３】
第１の処理と、第２の処理を少なくとも部分的に並行して行うことを特徴とする請求項９乃至１２のいずれかの現金自動取引装置。
【発明の詳細な説明】
【技術分野】
【０００１】
本発明は現金自動取引装置に係り、特に利用者の生体情報を用いて本人を認証して現金の取引きを行う、金融機関等の店舗に設置される現金自動取引装置（ＡＴＭという）及びシステムに関するものである。
【背景技術】
【０００２】
最近、盗難カードや偽造カード等を使用してＡＴＭで現金の取引を行う事件が発生している。そのため、ＡＴＭによる現金の取引に対してもセキュリティの一層の向上が要求されている。その１つの策として、金融機関が発行したカードのＩＣチップに、利用者の指紋等の生体情報を登録しておき、読取った生体情報から本人を確認するシステムが提案されている。
【０００３】
例えば、特開２００１−６７５２３公報（特許文献１）には、ＩＣカードに本人及び代理人の指紋情報を登録しておき、ＡＴＭに備えた指紋スキャナから読んだ指紋情報とＩＣカード内の指紋情報とを照合することにより本人又は代理人を認証する照合システムが開示されている。
また、特開２００５−１０８２６公報（特許文献２）には、生体情報認証サーバに本人の虹彩や指紋等の各種生体情報を保持しておき、認証サーバから要求された生体情報をセンサで入力し、その入力された生体情報と、認証サーバから選択された生体情報と照合することで本人の認証を行う生体情報認証システムが開示されている。
【０００４】
【特許文献１】特開２００１−６７５２３公報
【特許文献２】特開２００５−１０８２６公報
【発明の開示】
【発明が解決しようとする課題】
【０００５】
ところで、利用者が生体認証を利用した取引を行うには、まず金融機関にその旨を申し込んでＩＣチップ付カードを発行してもらう必要がある。利用者は受け取ったカードを持参して店舗に出向き、そこで係員の操作により利用者の生体情報が読取られて、ＩＣチップに登録される。
【０００６】
通常、金融機関の口座情報はカードの磁気ストライプに書き込まれている。しかしカードにＩＣチップが搭載されている場合には、金融機関の口座情報はＩＣチップに登録されており、取引きに際してはＩＣチップに登録された口座情報を読み出して、そのカードが本物か否かを確認するカード認証が推奨されている。
【０００７】
従って、新規に追加された生体認証は、ＩＣチップに登録されている口座情報を読み出して、カードが金融機関のものと認証された後に、利用者の生体情報をセンサ等で読取り、その生体情報とＩＣチップに予め登録された生体情報と照合して本人確認することになる。このように認証のための処理が時系列処理となるので、取引きに要する時間は更に長くなる。
【０００８】
なお、金融機関がＩＣチップ付カードを発行しない場合には、利用者が店舗に出向くと、係員の操作により利用者から読取った生体情報はセンタのコンピュータに登録される。ＡＴＭでの取引き時にＡＴＭで読取られた生体情報はセンタに送信され、コンピュータに登録された生体情報と照合されて、利用者本人の認証処理が行われる。
いずれにしても認証のための処理が時系列処理となるので、取引きに要する時間は長くなり、キャッシュコーナでの利用者の待ち時間は長くなる。
【０００９】
本発明の目的は、生体情報を用いた本人認証のための時間を短縮することができる現金取引装置及びシステムを提供することにある。
【課題を解決するための手段】
【００１０】
本発明は、利用者に対して取引きのための案内を表示する表示部と、取引きのための入力を行う入力部と、取引きに使用されるカードの情報を読み取るカードリーダ部を有するカード機構と、利用者の生体情報を読取る生体情報読取り部と、取引きに用いられる情報を記憶する記憶部と、これら各部を制御し、取引のための処理を行う主制御部とを具備する現金自動取引装置において、
利用者の生体認証要否を判断する生体認証判断手段と、生体情報読取り部で取得された利用者の生体情報と予め記憶部に登録された利用者の生体情報とを照合することにより生体認証処理を行う生体認証処理モードと、入力部から利用者により入力される暗証情報と予め記憶部に登録された暗証情報とを照合することにより利用者本人の確認を行う暗証情報確認処理モードと、使用されるカードがＩＣカードである場合、カードが本物かを認証するＩＣカード認証処理モードとを有し、生体認証判断手段による判断結果に従って、生体認証が必要な場合には、生体認証処理モードと暗証情報確認処理モードによって利用者本人を確認する第１の処理を行い、生体認証が不要な場合には、ＩＣカード認証処理モードと暗証情報確認処理モードによって利用者本人を確認する第２の処理を行う現金自動取引装置である（請求項１対応）。
好ましい例では、上記カードは、利用者に固有の取引情報及び生体情報認証要否情報を記憶部に保持し、生体認証判断手段は、カードリーダ部で読取られたカードの生体情報認証要否情報に従って生体認証要否を判断する。
また、好ましい例では、表示部は、生体認証による取引及び又はキャッシュカードによる取引の項目を含む画面を表示し、生体認証判断手段は、利用者により画面から生体認証による取引が選択されたことを認識して、利用者の生体認証要否を判断する。
また、好ましい例では、第１の処理において、生体認証の結果、利用者本人が認証された場合には、ＩＣカード認証処理モードを実行しないで、利用者に対する現金の取引を許容する。
また、好ましい例では、第１の処理において、ＩＣカード認証処理モードを実行しないで行った取引の回数を累計する計算手段を有し、計算手段によって累計された回数の情報を、カードの記憶部又は他の記憶部に利用者に関連する情報に対応付けて記憶する。
また、一例では、生体情報認証要否情報の内容設定は、カードを発行する金融機関によって任意に設定可能である。
また、一例では、上記生体認証処理モードは、ＩＣカードの場合にはＩＣカード内で実行され、ＩＣカードでない場合には現金自動取引装置がネットワークを介して接続されたホストコンピュータ内で実行される現金自動取引システムである。
【００１１】
本発明に係る現金自動取引装置は、利用者に対して取引きのための案内を表示する表示部と、取引きのための入力を行う入力部と、取引きに使用されるカードの情報を読み取るカードリーダ部を有するカード機構と、利用者の生体情報を読取る生体情報読取り部と、取引きに用いられる情報を記憶する記憶部と、これら各部を制御し、取引のための処理を行う主制御部とを具備する現金自動取引装置において、
利用者の生体認証要否を判断する生体認証判断手段と、生体情報読取り部で取得された利用者の生体情報と予め記憶部に登録された利用者の生体情報とを照合することにより生体認証処理を行う生体認証処理モードと、入力部から利用者により入力される暗証情報と予め記憶部に登録された暗証情報とを照合することにより利用者本人の確認を行う暗証情報確認処理モードと、使用されるカードがＩＣカードである場合、カードが本物かを認証するＩＣカード認証処理モードとを有し、
生体認証判断手段による判断結果に従って、生体認証が必要な場合には、生体認証処理モードと暗証情報確認処理モードによって利用者本人を確認する処理を行う第１の処理と、生体認証判断手段による判断結果に従って、生体認証が不要な場合には、ＩＣカード認証処理モードと暗証情報確認処理モードによって利用者本人を確認する第２の処理を少なくとも部分的に並行して行う現金自動取引装置である（請求項８対応）。
【００１２】
また、本発明に係る現金自動取引装置は、利用者に対して取引きのための案内を表示する表示部と、取引きのための入力を行う入力部と、取引きに使用されるカードの情報を読み取るカードリーダ部を有するカード機構と、利用者の生体情報を読取る生体情報読取り部と、取引きに用いられる情報を記憶する記憶部と、これら各部を制御し、取引のための処理を行う主制御部とを具備する現金自動取引装置において、
利用者の生体認証要否を判断する生体認証判断手段と、生体情報読取り部で取得された利用者の生体情報と予め記憶部に登録された利用者の生体情報とを照合することにより生体認証処理を行う生体認証処理モードと、使用されるカードがＩＣカードである場合、カードが本物かを認証するＩＣカード認証処理モードとを有し、
生体認証判断手段による判断結果に従って、生体認証が必要な場合には、生体認証処理モードによって利用者本人を確認する第１の処理を行い、生体認証が不要な場合には、ＩＣカード認証処理モードによって利用者本人を確認する第２の処理を行うこと現金自動取引装置である（請求項９対応）。
好ましい例では、更に、入力部から利用者により入力される暗証情報と予め記憶部に登録された暗証情報とを照合することにより利用者本人の確認を行う暗証情報確認処理モードを有し、第１の処理、及び又は第２の処理において、暗証情報確認処理モードを実行する。
また、一例では、表示部は、現金取引に関する複数の項目を含む第１の画面と、生体認証による取引及び又はキャッシュカードによる取引の項目を含む第２の画面と、を表示し、主制御部は、第２の画面よりも第１の画面を先に表示しておき、第１の画面を通して選択された取引を行う際に、第２の画面を表示する。
また、他の例では、表示部は、現金取引に関する複数の項目を含む第１の画面と、生体認証による取引及び又はキャッシュカードによる取引の項目を含む第２の画面と、を表示し、主制御部は、第１の画面よりも第２の画面を先に表示しておき、第１の画面を通して選択された取引の処理を行う間に、第２の画面を表示する。
また、好ましい例では、上記現金自動取引装置において、第１の処理と、第２の処理を少なくとも部分的に並行して行う。
【発明の効果】
【００１３】
本発明によれば、カード認証と生体認証とを並行的に処理することにより、取引の処理時間を短縮することができる。またＩＣチップに対するカード認証の処理を省略することができる。またカードの読取り手段の不具合などにより利用者の生体認証が出来なかった場合でも、ＩＣチップに対するカード認証ができれば、最低限の取引きを行うことができ、利用者へのサービスにつながる。
【発明を実施するための最良の形態】
【００１４】
以下、図面を参照して本発明の実施例について説明する。
図１は一実施形態におけるＡＴＭのブロック図である。
ＡＴＭ１０１は、生体情報として利用者の指静脈パターンを読み取る指静脈リーダ１０２と、利用者に対する取引き案内を表示する液晶等の表示部１０３と、利用者により操作され取引きのための情報を入力するタッチパネル等の入力部１０４と、挿入されたカードを処理するカード機構１０５と、紙幣入出金等の紙幣を処理する紙幣入出金機構１０６と、硬貨入出金等の硬貨を処理する硬貨入出金機構１０７と、明細票の印字処理を行う明細票印字機構１０８と、通帳の印字処理を行う通帳印字機構１０９と、全体の動作を制御する主制御部１１０を備えて構成される。
【００１５】
本実施例において使用されるカードは、図２に示すように、磁気ストライプ２０２と接触式のＩＣチップ２０３が搭載されたカード２０１である。更に、カード２０１には非接触式ＩＣチップ２０４を搭載することも可能である。
【００１６】
図１のカード機構１０５には、カードの磁気ストライプに対して情報の読み書きを行う磁気ストライプリードライト部１１１と、ＩＣチップに対して情報の読み書きを行うＩＣチップリードライト部１１２を備えている。ＩＣカードリードライト部１１２は、金融機関から支給されたＩＣチップＳＡＭ(Secure Application Module)を備え、ＩＣチップ２０３を有するカード２０１が本物かをチェックする（カード認証処理）。通常、金融機関が発行するＩＣカードのＩＣチップには鍵が掛っているので、ＳＡＭを用いてＩＣチップ開いた後、図４のキャッシュカード情報をチェックして金融機関自身が発行したＩＣカードであるかを確認する。
【００１７】
主制御部１１０は、各部を制御し、取引きのための処理を行うＣＰＵ１１３と、取引き処理を実行するためのプログラムや取引情報等を記憶するメモリ１１４と、ホストやサーバとデータを送受信するための通信部１１５、及び電源１１６を有する。
【００１８】
図３は、ＡＴＭを含む現金取引システムの概要を示す図である。
利用者２０５がカード２０１を用いてＡＴＭで取引きを行うと、利用者の認証及び取引きに係わる種々の情報はセンタのホストコンピュータ２０７に送信され、本人の認証が行われると共に、データベース２０６に格納された利用者の口座残高の情報が更新される。
【００１９】
図４は取引カードの磁気ストライプ２０２のデータフォーマットの一例を示す。
磁気ストライプ２０２には、金融機関番号４１や支店番号４２、口座番号４３等の金融機関との取引に必要な口座情報の他に、ＩＣチップ２０３搭載の有無情報４４、生体認証実施の要否を示す生体認証要否情報４５、ＩＣチップ２０３に対するカード認証を省略した取引回数を示すカード認証省略回数４６、及びカード認証の有効期限を示す情報４７が記憶される。
【００２０】
ここで、ＩＣチップ有無情報４４は、カードにＩＣチップが搭載されていれば「有」と書き込まれる。生体認証要否情報４５は、利用者の生体情報として例えば指静脈の認証を行わせるか否かを示す情報である。この生体認証要否情報４５は、顧客が生体認証するためにＩＣチップに生体情報を登録するときに「要」と書き込まれる。この生体認証要否情報４５の内容はカードを発行する金融機関の端末装置を用いて任意に設定可能である。
【００２１】
また、カード認証省略回数４６は、生体認証のみを実施してカード認証を省略した場合、その省略された回数を示し、後述するＩＣカード認証処理（例えば図６のステップ３０３〜３２３の処理）を何回行ったかの累計値が書き込まれる。例えば、この累計値はＡＴＭの主制御部１１０のＣＰＵ１１３で計算され、更新された回数の値がカードのカード認証省略回数４６の項目に格納される。カード認証有効期限４７は、取引時にカード認証を一度実施すると、金融機関か顧客が事前に設定した期限まで、次回以降の取引ではカード認証を省略する。
尚、カード認証省略回数４６とカード認証有効期限４７は、運用方法によってどちらかを選択して使用するものであり、ＩＣチップ２０３内に設けてもよい。ＩＣチップの場合には、図４のフォーマットからＩＣチップ有無情報４４が無いものと理解してよい。
【００２２】
図５はＩＣチップ２０３に登録されるサービス機能を示す。
このカードは複数の用途を有し、その用途毎にサービス機能として登録される。登録されるサービスとしては、キャッシュカード、デビットカード、クレジットカード、ローンカード、振込みカード、電子マネー、電子通帳、社員カード、及び生体情報を登録した登録生体情報が含まれる。この例におけるこれらの登録情報は、全国銀行協会により取り決められたものである。
【００２３】
カードを発行する金融機関は、これらのサービス機能から幾つかの機能を選択してサポートできる。例えば、キャッシュカードやクレジットカード等が選択されると、金融機関の情報及び利用者の口座情報が登録され、また登録生体情報としては利用者の指静脈パターンが登録される。
【００２４】
金融機関がＩＣチップ２０３付のカードを発行しない場合には、利用者の生体情報である指静脈パターンは、ホストコンピュータ２０７のデータベース２０６に登録される。その場合、利用者の認証は、指静脈リーダ１０２により利用者から読取られた指静脈パターンが通信部１１５を介してホストコンピュータ２０７へ送信され、予め登録された指静脈パターンと照合することにより行われる。
【００２５】
次に、図６以降のフローチャートを参照して、生体認証を利用した取引き処理に関する幾つかの実施例を説明する。
【００２６】
図６は一実施例によるカード先行の取引処理で磁気ストライプ２０２に生体認証実施の要否情報が有る場合の取引処理フローチャートである。
取引きに際して、利用者２０５がＡＴＭ１０１のカード機構１０５にカード２０１を挿入すると、磁気ストライプリードライト部１１１で磁気ストライプ２０２の情報が読取られ、口座情報等の情報４１〜４３と生体認証の要否情報４５及びＩＣチップ２０３搭載の有無情報４４が取得される（ステップ３０１）。
そしてまず、生体認証実施の要否情報をチェックする（ステップ３０２）。生体認証否ならば、ＩＣチップ２０３の有無情報４４をチェックする（ステップ３０３）。ステップ３０２で生体認証要ならば、ＩＣチップ２０３搭載の有無情報４４をチェックする（ステップ３０４）。生体認証要でＩＣチップ２０３無しならば、ホストコンピュータ２０７での生体認証となり、表示部１０３に取引選択画面を表示する（ステップ３０５）。ステップ３０４で、ＩＣチップ２０３が有ならば、表示部１０３に取引選択画面を表示する（ステップ３０６）。図７にその取引選択画面の一例を示す。
ステップ３０６で、利用者２０５が取引きとして「引出し」キーを選択して押下すると、生体認証処理となる。生体認証を実施するために、表示部１０３に案内画面を表示して音声で操作の案内、例えば指を指静脈リーダ１０２にかざすように案内する。利用者２０５が指を指静脈リーダ１０２にかざすと（ステップ３０７）、指静脈リーダ１０２はかざされた指の静脈パターンを読取る（ステップ３０８）。指静脈リーダ１０２で読取った利用者２０５の指静脈パターンは、主制御部１１０とＩＣカードリードライト部１１２を経由してＩＣチップ２０３に送信され、ＩＣチップ２０３内のＣＰＵにてメモリに予め登録されている指静脈認証パターンと照合される（ステップ３０９）。指静脈パターンの照合により、利用者２０５が本人かを確認する（ステップ３１０）。以上の処理が生体認証処理である。
【００２７】
利用者２０５が本人であると確認できなければ、暗証番号を入力させる（ステップ３１１）。ステップ３１０で、利用者２０５が本人と確認できれば、入力部１０４から暗証番号を入力させ（ステップ３１２）、次に引出し金額を入力させる（ステップ３１３）。
【００２８】
主制御部１１０の通信部１１５は、磁気ストライプから読み取られた口座情報、入力された暗証番号や引出し金額をセンタのホストコンピュータ２０７に送信し、必要情報を受信する（ステップ３１４）。ホストコンピュータ２０７では暗証番号の照合を行い、取引き許可か否を含む回答をＡＴＭへ送信する。この処理が暗証番号照合処理である。
【００２９】
ＡＴＭでは、ホストコンピュータ２０７から受信した回答が取引許可かを確認する（ステップ３１５）。ホストコンピュータ２０７からの回答が取引否ならば、利用者２０５にカード２０１を返却する（ステップ３１６）。
【００３０】
ステップ３１５で取引許可ならば、紙幣入出金機構１０６及び硬貨入出金機構１０７は、利用者２０５が表示部１０３に入力した金額の出金準備をする（ステップ３１７）。カード機構１０５はカード２０１を、明細票印字機構１０８は明細票を排出する（ステップ３１８）。紙幣入出金機構１０６及び硬貨入金機構１０７は、それぞれの出金口から紙幣あるいは硬貨を放出する（ステップ３１９）。利用者は排出されたカードや明細票及び現金を受け取って一連の取引を終わる。
【００３１】
ステップ３０３でＩＣチップ２０３無しならば、利用者２０５にカード２０１を返却する（ステップ３１６）。ＩＣチップ２０３有ならば、表示部１０３に取引選択画面を表示する（ステップ３２０）。利用者２０５が「引出し」キーを選択して押下すると、カード認証処理となる。ＩＣチップ２０３から金融機関の口座情報を読み出し（ステップ３２１）、ＩＣチップ２０３に対するカード認証処理を行う（ステップ３２２）。この処理がカード認証処理である。
【００３２】
カード認証処理で、カード２０１が本物かを確認する（ステップ３２３）。この確認はＩＣカードリードライト部１１２のＳＡＭを用いて行われる。確認の結果、カードが本物でなければ、利用者２０５にカード２０１を返却する（ステップ３１６）。一方、ステップ３２３で、カード２０１が本物と確認できれば、暗証番号を入力させ（ステップ３１１）、次に引出し金額を入力させる（ステップ３２４）。そして引出し金額が金融機関、又は利用者２０５が事前設定した上限以内かをチェックする（ステップ３２５）。引出し金額が上限を超えていると、利用者２０５にカード２０１を返却する（ステップ３１６）。一方、ステップ３２５で、引出し金額が上限以内ならば、主制御部１１０の通信部１１５は口座情報、暗証番号、引出し金額をホストコンピュータ２０７に送信し、必要情報を受信する（ステップ３１４）。以下ステップ３１５、３１７、３１８、３１９へと処理を進める。
ステップ３０４で、センタのホストコンピュータ２０７での生体認証となると、表示部１０３にその旨の取引選択画面を表示する（ステップ３０５）。利用者２０５が「引出し」キーを選択して押下すると、案内画面で誘導されて、利用者２０５は指を指静脈リーダ１０２にかざす（ステップ３２６）。そして指静脈リーダ１０２は利用者の指の静脈パターンを読取る（ステップ３２７）。次に、利用者２０５に暗証番号を入力させ（ステップ３２８）、引出し金額を入力させる（ステップ３２９）。
【００３３】
主制御部１１０の通信部１１５は口座情報、暗証番号、引出し金額、及び読取った指静脈パターンをホストコンピュータ２０７に送信する。ホストコンピュータ２０７で４は、利用者の口座情報をチェックする（元帳チェック）と共に、受信した指静脈パターンとデータベース２０６内に予め登録してある指静脈パターンとを照合する（ステップ３３０）。元帳チェック及び指静脈パターンの照合の結果、取引き許可ならば、口座金額から引き出し金額を差し引いて利用者の元帳を更新して、ＡＴＭに回答を返信する（ステップ３３１）。
【００３４】
ＡＴＭでは、ホストコンピュータ２０７から元帳チェックの結果と必要な情報を受信し、取引許可の回答かを確認する（ステップ３３２）。センタからの回答が取引否ならば、利用者２０５にカード２０１を返却する（ステップ３１６）。ステップ３３２で取引許可ならば、紙幣入出金機構１０６及び硬貨入出金機構１０７は出金準備する（ステップ３３３）。カード機構１０５はカード２０１を排出し、明細票印字機構１０８は明細票を排出する（ステップ３３４）。また紙幣入出金機構１０６及び硬貨入金機構１０７は、それぞれの出金口から紙幣あるいは硬貨を放出する（ステップ３３５）。利用者２０１は、排出されたカード２０１及び明細票、及び放出された現金を受取り、選択された一連の取引きを終わる。
【００３５】
図８は第２実施例によるカード先行の取引処理を示す。
この取引はＩＣチップ２０３に複数のサービス機能が登録されている場合の取引処理である。
利用者２０５が、ＩＣチップ２０３を備えたカード２０１をカード機構１０５に挿入すると、磁気ストライプ２０２から口座情報を読取り、続けてＩＣチップ２０３から図５に示したような登録されたサービス機能を読み出す（ステップ４０１）。そして図９に示すような、複数のサービス機能９１〜９５からあるサービス機能を選択させる取引選択画面を表示する（ステップ４０２）。例えば、利用者２０５が生体認証付のキャッシュカードによる取引９１を選択すると、次に図７に示す取引選択画面が表示される（ステップ４０３）。図７の画面から利用者２０５が「引出し」キーを選択すると、生体認証処理に移る。
【００３６】
生体認証処理では、利用者２０５が指を指静脈リーダ１０２にかざすと（ステップ４０４）、指静脈リーダ１０２はかざされた指の静脈パターンを読取る（ステップ４０５）。指静脈リーダ１０１で読取られた利用者２０５の指静脈パターンはＩＣチップ２０３に送信され、ＩＣチップ２０３内に予め登録してある指静脈認証パターンと照合される（ステップ４０６）。指静脈パターン照合により、利用者本人かを確認する（ステップ４０７）。利用者本人と確認できなければ、暗証番号を入力させる（ステップ４０８）。ステップ４０７で、利用者本人と確認されると、暗証番号を入力部１０４から入力させ（ステップ４０９）、次に引出し金額を入力させる（ステップ４１０）。
【００３７】
主制御部１１０の通信部１１５は磁気ストライプから読み取った口座情報、入力された暗証番号や引出し金額を事務センタのホストコンピュータ２０７に送信し、ホストコンピュータ２０７から回答として必要な情報を受信する（ステップ４１１）。
そしてＡＴＭでは、ホストコンピュータ２０７から受信した回答が取引許可かを確認する（ステップ４１２）。ホストコンピュータ２０７からの回答が取引否ならば、利用者２０５にカード２０１を返却する（ステップ４１３）。
【００３８】
一方、ステップ４１２で取引許可ならば、紙幣入出金機構１０６及び硬貨入出金機構１０７は、利用者２０５が表示部１０３に入力した金額の出金準備をする（ステップ４１４）。カード機構１０５はカード２０１を排出し、明細票印字機構１０８は明細票を排出する（ステップ４１５）。また紙幣入出金機構１０６及び硬貨入金機構１０７は、それぞれの出金口から紙幣あるいは硬貨を放出する（ステップ４１６）。
【００３９】
さて、説明を戻して、ステップ４０２でキャッシュカードによる取引９５（図９）が選択された場合には、図７に示す取引選択画面を表示する（ステップ４１７）。図７の画面から利用者２０５が「引出し」キーを選択すると、ＩＣチップ２０３に対するカード認証処理を行う。ＩＣチップ２０３からキャッシュカードの口座情報を読み出して（ステップ４１８）、ＩＣチップ２０３に対するカード認証処理を行う（ステップ４１９）。
【００４０】
カード認証処理では、ＩＣカードリードライト部１１２のＳＡＭを用いて、ＩＣチップ２０３を搭載したカード２０１が本物かを確認する（ステップ４２０）。カード２０１が本物と確認できなければ、利用者２０５にカード２０１を返却する（ステップ４１３）。ステップ４２０で、カード２０１が本物と確認できれば、暗証番号を入力させ（ステップ４０８）、次に引出し金額を入力させる（ステップ４２１）。
【００４１】
そして、主制御部１１０は引出し金額が金融機関、又は利用者が事前設定した上限以内かをチェックする（ステップ４２２）。引出し金額が上限を超えていると、利用者２０５にカード２０１を返却する（ステップ４１３）。ステップ４２２で、引出し金額が上限以内なら、主制御部１１０の通信部１１５は口座情報、暗証番号、引出し金額をホストコンピュータ２０７に送信し、その後必要な情報をホストコンピュータ２０７から受信する（ステップ４１１）。以後、ステップ４１２、４１４、４１５、４１６へと処理を進めるが、これらの処理は前述した処理と同様であるので、説明を省略する。
図１０は第３実施例におけるカード先行の取引を示し、利用者２０５が取引タイプを選択する場合の取引処理フローチャートである。
利用者２０５が、ＩＣチップ２０３を有するカード２０１をカード機構１０５に挿入すると、磁気ストライプ２０２から口座情報が読取られ、次にＩＣチップ２０３から図５に示したサービス機能が読み出される（ステップ５０１）。そして図７に示す取引選択画面を表示する（ステップ５０２）。図７の画面から利用者が「引出し」キーを選択すると、次に図１１に示すような、取引きサービスを選択する取引選択画面が表示される（ステップ５０３）。利用者２０５が生体認証とカード認証の機能１１０による取引を選択すると、処理フローの左側に分岐して生体認証とカード認証とを並行処理する。
生体認証処理では、利用者の指を指静脈リーダ１０２にかざすと（ステップ５０４）、指静脈リーダ１０２は利用者の指の静脈パターンを読取る（ステップ５０５）。指静脈リーダ１０１で読取られた指静脈パターンはＩＣチップ２０３に送信され、ＩＣチップ２０３内に予め登録してある指静脈認証パターンと照合される（ステップ５０６）。パターンの照合により、利用者本人かを確認する（ステップ５０７）。
【００４２】
一方、カード認証処理では、ＩＣチップ２０３からキャッシュカードの口座情報を読み出して（ステップ５０８）、ＩＣチップ２０３に対するカード認証処理を行う（ステップ５０９）。ＩＣチップ２０３を有するカード２０１が本物かを確認する（ステップ５１０）。本物と確認できなければ、利用者２０５にカード２０１を返却する（ステップ５１１）。ステップ５１０で、カード２０１が本物と確認でき、ステップ５０７で利用者本人と確認できなければ、暗証番号を入力させる（ステップ５１９）。ステップ５０７で、利用者本人と確認されれば、暗証番号を入力部１０４から入力させ（ステップ５１２）、次に引出し金額を入力させる（ステップ５１３）。
【００４３】
主制御部１１０の通信部１１５は磁気ストライプから読み取った口座情報、入力された暗証番号や引出し金額を事務センタのホストコンピュータ２０７に送信し、ホストコンピュータ２０７から必要な情報の回答を受信する（ステップ５１４）。
ＡＴＭでは、ホストコンピュータ２０７から取引許可の回答かを確認する（ステップ５１５）。ホストコンピュータ２０７からの回答が取引否ならば、利用者２０５にカード２０１を返却する（ステップ５１１）。
【００４４】
上記ステップ５０７で、利用者本人と確認できなければ、暗証番号を入力させ（ステップ５１９）、次に引出し金額を入力させる（ステップ５２０）。そして引出し金額が金融機関又は利用者が事前に設定した上限以内かをチェックする（ステップ５２１）。引出し金額が上限を超えていると、利用者２０５にカード２０１を返却する（ステップ５１１）。ステップ５２１で、引出し金額が上限以内ならば、主制御部１１０の通信部１１５は口座情報、暗証番号、引出し金額を事務センタのホストコンピュータ２０７に送信し、必要な情報の回答を受信する（ステップ５１４）。以後ステップ５１５、５１６、５１７、５１８へと処理を進める。尚、これらの処理は前述と同様であるので、説明を省略する。
【００４５】
ステップ５０３で、利用者が生体認証のみによる取引を選択すると、利用者の生体認証処理に移る。利用者の指を指静脈リーダ１０２にかざすと（ステップ５２２）、指静脈リーダ１０２はかざされた指の静脈パターンを読取る（ステップ５２３）。指静脈リーダ１０１で読取られた利用者２０５の指静脈パターンはＩＣチップ２０３に送信され、ＩＣチップ２０３内に予め登録してある指静脈認証パターンと照合される（ステップ５２４）。パターン照合により、利用者本人かを確認する（ステップ５２５）。本人と確認されなければ、利用者２０５にカード２０１を返却する（ステップ５１１）。ステップ５２５で本人と確認できれば、暗証番号を入力させる（ステップ５１２）。以後、同様にステップ５１３、５１４、５１５、５１６、５１７、５１８へと処理を進める。
ステップ５０３で、利用者がカード認証のみによる取引を選択すると、カード認証の処理をする。即ち、ＩＣチップ２０３からキャッシュカードの口座情報を読み出して（ステップ５２６）、ＩＣチップ２０３に対するカード認証処理を行う（ステップ５２７）。ＩＣチップ２０３を有するカード２０１が本物かを確認する（ステップ５２８）。カードが本物と確認できなければ、利用者２０５にカード２０１を返却する（ステップ５１１）。一方、ステップ５２８でカード２０１が本物と確認できれば、暗証番号を入力させる（ステップ５１９）。以下、同様にステップ５２０、５２１へと処理を進める。
【００４６】
図１２は第４の実施例における取引選択を先行する場合の取引処理フローチャートである。
利用者に対して、図７に示す取引選択画面を表示して（ステップ６０１）、利用者が「引出し」キーを選択する。次に利用者が、ＩＣチップ２０３を持つカード２０１をカード機構１０５に挿入すると、磁気ストライプ２０２から口座情報を読取り、次にＩＣチップ２０３から図５に示したサービス機能を読み出す（ステップ６０２）。ステップ６０１で選択された取引「引出し」に対応して処理可能なキャッシュカードやクレジットカード等のサービス機能を抽出の上、図１３に示すように、どのタイプで取引したいかを選択させる取引選択画面を表示する（ステップ６０３）。
【００４７】
利用者は、選択画面から生体認証付のキャッシュカードによる取引１３０による取引を選択すると仮定する。利用者の指を指静脈リーダ１０２にかざすと（ステップ６０４）、指静脈リーダ１０２はかざされた指の静脈パターンを読取る（ステップ６０５）。指静脈リーダ１０１で読取った利用者の指静脈パターンはＩＣチップ２０３に送信され、ＩＣチップ２０３内に予め登録してある指静脈認証パターンと照合される（ステップ６０６）。パターンの照合により利用者が本人かが確認される（ステップ６０７）。
【００４８】
確認の結果、本人と確認できなければ、ＩＣチップ２０３からキャッシュカードの口座情報を読み出す（ステップ６０８）。一方、ステップ６０７で本人と確認されれば、暗証番号を入力部１０４から入力させ（ステップ６０９）、次に引出し金額を入力させる（ステップ６１０）。
【００４９】
主制御部１１０の通信部１１５は磁気ストライプから読み取られた口座情報、入力された暗証番号や引出し金額を、センタのホストコンピュータ２０７に送信し、必要な情報を回答として受信する（ステップ６１１）。
【００５０】
ＡＴＭでは、ホストコンピュータ２０７から取引許可の回答かを確認し（ステップ６１２）、回答が取引否ならば、利用者にカード２０１を返却する（ステップ６１３）。一方、回答が取引許可ならば、紙幣入出金機構１０６及び硬貨入出金機構１０７は、利用者が表示部１０３に入力した金額の出金準備をする（ステップ６１４）。カード機構１０５は、カード２０１を明細票印字機構１０８は明細票を排出する（ステップ６１５）。紙幣入出金機構１０６及び硬貨入金機構１０７は、それぞれの出金口から紙幣あるいは硬貨を放出する（ステップ６１６）。
【００５１】
ステップ６０７で、利用者が本人と確認できなかった場合は、カード認証処理する。ＩＣチップ２０３からキャッシュカードの口座情報を読み出して（ステップ６０８）、ＩＣチップ２０３に対するカード認証処理を行う（ステップ６１７）。ＩＣチップ２０３を搭載したカード２０１が本物かを確認する（ステップ６１８）。本物と確認できなければ、利用者にカード２０１を返却する（ステップ６１３）。一方、カード２０１が本物と確認できれば、暗証番号を入力させ（ステップ６１９）、次に引出し金額を入力させる（ステップ６２０）。引出し金額が金融機関、又は利用者が事前設定した上限以内かをチェックする（ステップ６２１）。引出し金額が上限を超えていると、利用者にカード２０１を返却する（ステップ６１３）。ステップ６２１で、引出し金額が上限以内なら、主制御部１１０の通信部１１５は口座情報、暗証番号、引出し金額を事務センタのホストコンピュータ２０７に送信し、必要情報を受信する（ステップ６１１）。以後、ステップ６１２、６１４、６１５、６１６へと同様の処理を進める。
次に、図１４を参照して第５実施例を説明する。この例は取引選択を先行する取引で、利用者が取引タイプを選択する場合の取引処理である。
利用者に対して、図９に示す取引選択画面を表示して、何れのサービスで取引したいかを選択させる（ステップ７０１）。利用者が生体認証付のキャッシュカード９１を選択して、カード機構１０５にＩＣチップ２０３を持つカード２０１を挿入すると、磁気ストライプ２０２から口座情報を読取り、次にＩＣチップ２０３から図５に示した登録されているサービス機能を読み出す（ステップ７０２）。
【００５２】
次に、利用者が選択した取引内容とＩＣチップ２０３に登録されているサービス機能の一致を確認する（ステップ７０３）。そして図７に示す取引選択画面を表示する（ステップ７０４）。この取引選択画面から利用者が「引出し」キーを選択すると、処理フローの左側に分岐して、生体認証とキャッシュカード認証を並行処理する。
生体認証処理では、利用者の指を指静脈リーダ１０２にかざすと（ステップ７０５）、指静脈リーダ１０２はその指の静脈パターンを読取る（ステップ７０６）。指静脈リーダ１０１で読取られた利用者の指静脈パターンはＩＣチップ２０３に送信され、ＩＣチップ２０３内に予め登録してある指静脈認証パターンと照合される（ステップ７０７）。パターンの照合により、利用者が本人かを確認する（ステップ７０８）。
【００５３】
一方、キャッシュカード認証処理では、ＩＣチップ２０３からキャッシュカードの口座情報を読み出して（ステップ７０９）、ＩＣチップ２０３に対するカード認証処理を行う（ステップ７１０）。ＩＣチップ２０３を持つカード２０１が本物かを確認する（ステップ７１１）。本物と確認できなければ、利用者にカード２０１を返却する（ステップ７１２）。一方、カード２０１が本物と確認でき、ステップ７０８で、利用者が本人と確認できれば、暗証番号を入力させ（ステップ７１３）、次に引出し金額を入力させる（ステップ７１４）。
【００５４】
主制御部１１０の通信部１１５は磁気ストライプから読み取った口座情報、入力された暗証番号や引出し金額をセンタのホストコンピュータ２０７に送信し、必要な情報を含む回答を受信する（ステップ７１５）。
【００５５】
ＡＴＭでは、ホストコンピュータ２０７から取引許可の回答かを確認する（ステップ７１６）。回答が取引否ならば、利用者にカード２０１を返却する（ステップ７１２）。一方、回答が取引許可ならば、紙幣入出金機構１０６及び硬貨入出金機構１０７は、利用者が表示部１０３に入力した金額の出金準備をする（ステップ７２０）。カード機構１０５はカード２０１を、明細票印字機構１０８は明細票を排出し（ステップ７２１）、紙幣入出金機構１０６及び硬貨入金機構１０７は、それぞれの出金口から紙幣あるいは硬貨を放出する（ステップ７２２）。
【００５６】
ステップ７０８で、利用者が本人と確認できなければ、暗証番号を入力させ（ステップ７１７）、次に引出し金額を入力させる（ステップ７１８）。引出し金額が金融機関、又は利用者が事前設定した上限以内かをチェックする（ステップ７１９）。引出し金額が上限を超えていると、利用者にカード２０１を返却する（ステップ７１２）。ステップ７１９で、引出し金額が上限以内ならば、主制御部１１０の通信部１１５は口座情報、暗証番号、引出し金額を事務センタのホストコンピュータ２０７に送信し、必要情報を受信する（ステップ７１５）。以後ステップ７１６、７２０、７２１、７２２へと同様の処理を進める。
ステップ７０４で、利用者が生体認証のみによる取引９４を選択すると、生体認証処理する。利用者の指を指静脈リーダ１０２にかざすと（ステップ７２３）、指静脈リーダ１０２はその指の静脈パターンを読取る（ステップ７２４）。指静脈リーダ１０１で読取られた利用者の指静脈パターンはＩＣチップ２０３に送信され、ＩＣチップ２０３内に予め登録してある指静脈認証パターンと照合される（ステップ７２５）。パターンの照合により、利用者が本人かを確認する（ステップ７２６）。本人と確認できなければ、利用者にカード２０１を返却する（ステップ７１２）。本人と確認できれば、暗証番号を入力させ（ステップ７１３）、以後ステップ７１４、７１５、７１６、７２０、７２１、７２２へと同様の処理を進める。
ステップ７０４で、利用者がキャッシュカード認証のみによる取引９５を選択すると、ＩＣチップ２０３からキャッシュカードの口座情報を読み出して（ステップ７２７）、ＩＣチップ２０３に対するカード認証処理を行う（ステップ７２８）。ＩＣチップ２０３を持つカード２０１が本物かを確認する（ステップ７２９）。本物と確認できなければ、利用者にカード２０１を返却する（ステップ７１２）。ステップ７２９で、カード２０１が本物と確認できれば、暗証番号を入力してもらい（ステップ７１７）、以後ステップ７１８、７１９へと同様の処理を進める。
【００５７】
上記の実施例において、発明者の試算によれば、現行の磁気ストライプ付きのカードによりＡＴＭで現金取引する場合には、約１０秒の取引時間を要する。そのカードにＩＣカード認証の処理を追加すると、さらに６秒加算されて約１６秒となる。これに生体認証の処理を追加すると、さらに７〜１０秒加算されて約２３〜２６秒となる。然しながら、本実施例によれば、ＩＣチップを有するカード認証が省略できると、取引時間が約６短縮されて、１７〜２０秒となる。
また、本人の生体認証処理とカード認証処理を並行して行う例によれば、約１６秒又は１７〜２０秒となり、大幅に短縮される。
【００５８】
以上のように、幾つかの実施例について説明したが、本発明は上記実施例に限定されずに種々変形して実施し得る。
例えば上記実施例では生体情報として指静脈を用いる例について説明したが、指静脈以外に、指紋、虹彩、顔、署名等による生体認証も可能である。
【００５９】
また、上記実施例では、カード認証処理を省略した取引回数は、図４に示すように、カードの磁気ストライプに記憶しているが、しかしこれに限らず、例えばＩＣチップ又はホストコンピュータ２０７の記憶装置に順次計数して記憶していき、所定回数毎にＩＣチップに対するカード認証を行ない、カード認証できれば、省略回数の計数値を一旦クリアして、セキュリティを維持していく。又はＩＣチップが一度認証されると、金融機関か顧客が期限を設定して、その期間はＩＣチップのカード認証を省略できるようにしてもよい。
また、他の例として、定期的にカード認証することで、普段の取引でカード認証処理を省略しても、セキュリティは維持される。
【００６０】
また、上記の実施例では、暗証番号の照合はホストコンピュータで行っているが、これはＡＴＭで行ってもよい。或いはＩＣカードの内のＣＰＵによって、予めＩＣカードのメモリに登録された本人の暗証番号と照合するようにしてもよい。
また、他の変形例によれば、生体認証の結果本人が確認された場合には、暗証番号による照合は省略してもよい。
【図面の簡単な説明】
【００６１】
【図１】一実施形態によるＡＴＭにおける生体認証システムのブロック図。
【図２】取引カードの一例を示す外観図。
【図３】ＡＴＭを含む現金取引システムの概要を示す図。
【図４】取引カードの磁気ストライプのデータフォーマット図。
【図５】ＩＣチップに内蔵されるサービス機能の例。
【図６】一実施形態におけるカード挿入先行時の取引処理フローチャートを示す図。
【図７】ＡＴＭに表示される取引選択画面の例を示す図。
【図８】一実施形態におけるカード挿入先行時の取引処理フローチャートを示す図。
【図９】一実施形態におけるＡＴＭの取引選択画面の例を示す図。
【図１０】一実施形態におけるカード挿入先行時の取引処理フローチャートを示す図。
【図１１】一実施形態におけるＡＴＭの取引選択画面の例を示す図。
【図１２】一実施形態における取引科目選択先行時の取引処理フローチャートを示す図。
【図１３】一実施形態におけるＡＴＭの取引選択画面の例を示す図。
【図１４】一実施形態における取引科目選択先行時の取引処理フローチャートを示す図。
【符号の説明】
【００６２】
１０１：ＡＴＭ、１０２：指静脈リーダ、１０３：表示部、１０４：入力部、１０５：カード機構、１０６：紙幣入出金機構、１０７：硬貨入出金機構、１０８：明細票印字機構、１０９：通帳印字機構、１１０：主制御部、１１１：磁気ストライプリードライト部、１１２：ＩＣカードリードライト部、１１３：ＣＰＵ、１１４：メモリ、１１５：通信部、２０１：カード、２０２：磁気ストライプ、２０３：ＩＣチップ、２０５：利用者、２０６：データベース、２０７：ホストコンピュータ。
【図１】
2006301903.tif 000003
【図２】
2006301903.tif 000004
【図３】
2006301903.tif 000005
【図４】
2006301903.tif 000006
【図５】
2006301903.tif 000007
【図６】
2006301903.tif 000008
【図７】
2006301903.tif 000009
【図８】
2006301903.tif 000010
【図９】
2006301903.tif 000011
【図１０】
2006301903.tif 000012
【図１１】
2006301903.tif 000013
【図１２】
2006301903.tif 000014
【図１３】
2006301903.tif 000015
【図１４】
2006301903.tif 000016